【事件の表示】
　平成　９年特許願第５２６００４号「アジャストメントシステムを有する吸収性物品」拒絶査定不服審判事件〔平成　９年　７月２４日国際公開、ＷＯ９７／２５９５１、平成１１年　９月　７日国内公表、特表平１１−５１００８８〕について、次のとおり審決する。
【結　論】
　本件審判の請求は、成り立たない。
【理　由】
１．手続の経緯
　本願は、１９９６年（平成８年）１２月１８日（パリ条約による優先権主張１９９６年１月１８日、米国）を国際出願日とする出願であって、平成１３年６月２２日付けで拒絶査定がなされ、これに対し、同年１０月１日に拒絶査定に対する審判請求がなされるとともに、同年１０月２３日付けで明細書についての手続補正がなされたものである。
　
２．平成１３年１０月２３日付けの手続補正についての補正却下の決定
［補正却下の決定の結論］
　平成１３年１０月２３日付けの手続補正を却下する。
［理由］
　本件補正は、平成１３年５月２１日付けで補正された明細書をさらに補正するものであり、【特許請求の範囲】の【請求項１】に記載された事項について、以下の補正事項を含んでいる。
（ａ）「第１ウエスト部位と、この第１ウエスト部位に長手方向に対する第２ウエスト部位と、前記第１ウエスト部位と前記第２ウエスト部位との間に配置されたクロッチ部位と、長手方向エッジと、エンドエッジと、外表面と、内表面と、を有する吸収性物品は、」を、
「第１ウエスト部位と、この第１ウエスト部位に対し長手方向の反対の第２ウエスト部位と、前記第１ウエスト部位と前記第２ウエスト部位との間に配置されたクロッチ部位と、長手方向エッジと、エンドエッジと、外表面と、内表面と、を有する吸収性物品であって、」と補正する。
（ｂ）「１つのファスニング（締着）システムと、１つのアジャストメントシステムと、１つの含有アセンブリと、を具備し、」を、
「１つのファスニングシステムと、１つのアジャストメントシステムと、１つの含有アセンブリと、を具備し、」と補正する。
（ｃ）「前記含有アセンブリは、液体浸透性トップシートと、このトップシートに結合された液体非浸透性バックシートと、前記トップシートと前記バックシートとの間に配置された吸収体コアと、クロッチ部位に弾力性のあるガスケーテイングレッグカフと、を具備して成り、」を、
「前記含有アセンブリは、液体浸透性トップシートと、このトップシートに結合された液体非浸透性バックシートと、前記トップシートと前記バックシートとの間に配置された吸収体コアと、クロッチ部位中の弾力性のあるガスケーテイングレッグカフと、を具備して成り、」と補正する。
（ｄ）「前記ランディング部材が、前記セキュアメント部材に噛み合わせ可能にして成り、」を、
「前記ランディング部材が、前記セキュアメント部材に係止可能にして成り、」と補正する。
（ｅ）「前記アジャストメントシステムは、当該物品のそれぞれの前記長手方向エッジに隣接し、前記吸収性物品の前記エンドエッジまで、平行ではない関係に設けられて成る少なくとも１組のアジャストメントタブを含み、」を、
「前記アジャストメントシステムは、前記吸収性物品のそれぞれの前記長手方向エッジに隣接し、前記吸収性物品の前記エンドエッジに対して平行ではない関係に設けられて成る１組のアジャストメントタブを含み、」と補正する。
（ｆ）「前記アジャストメントタブのそれぞれは、当該吸収性物品の前記表面部位に確実に取り付けられた１つの固定部と、当該物品の前記第１ウエスト部位か前記クロッチ部位の外表面に確実に取り付けられた１つの中間部と、前記中間部に接続された１つの握持部と、を更に有し、」を、
「前記アジャストメントタブのそれぞれは、前記吸収性物品の前記第１ウエスト部位か前記クロッチ部位において前記吸収性物品の前記外表面に確実に取り付けられた１つの固定部と、前記固定部に接続されていて前記吸収性物品の前記外表面に取り外し可能に取り付けられた１つの中間部と、前記中間部に接続された１つの握持部と、を更に有し、」と補正する。
（ｇ）「前記アジャストメントシステムは、前記中間部が、前記第１ウエスト部位または前記第２ウエスト部位において、当該物品の前記外表面に取り外し可能に取り付けるときにおいて、一装着者の脚に対して改善されたフィット感を与えるように適用されて成る」を、
「前記アジャストメントシステムは、前記中間部が、前記第１ウエスト部位または前記クロッチ部位において前記吸収性物品の前記外表面に取り外し可能に取り付けられたときに、装着者の脚に対して改善されたフィット感を与えるように適用されて成る、」と補正する。
　上記補正事項において（ａ）は、第２ウエスト部位が「第１ウエスト部位に対し長手方向に反対の」位置にあることを明確にして特定する補正を含んでおり、（ｅ）は、アジャストメントタブが「エンドエッジに対して平行でない関係に設けられて成る」ことを明確にして特定し、さらに１組に限定する補正を含んでおり、（ｆ）は、アジャストメントタブの中間部が「固定部に接続されて」いることを明確にするとともに、該中間部が吸収性物品の外表面に「確実に」取り付けられたとする明らかな誤記を「取り外し可能に」と訂正する補正を含んでおり、また、（ｇ）は、上記中間部が「第１ウエスト部位または第２ウエスト部位」において取り付けられるとする明らかな誤記を「第１ウエスト部位またはクロッチ部位」において取り付けられると訂正する補正を含んでいる。
　すなわち本件の、【特許請求の範囲】の【請求項１】に記載された事項についての補正は、特許法第１７条の２第４項第２号に規定する特許請求の範囲の減縮を目的とした補正を含むものである。
　そこで、上記の特許請求の範囲の減縮を目的とした補正を含む補正後の本願発明が、特許出願の際独立して特許を受けることができるものであるか（特許法第１７条の２第５項において準用する同法第１２６条第５項の規定に適合するか）について以下に検討する。
　
（１）補正後の本願発明
　補正後の特許請求の範囲の請求項１の記載を分節して示すと以下のとおりである（符号Ａ〜Ｉは、便宜上当審において付与した。以下、これにより特定される発明を「本願補正発明１」という。
「Ａ．第１ウエスト部位と、この第１ウエスト部位に対し長手方向の反対の第２ウエスト部位と、前記第１ウエスト部位と前記第２ウエスト部位との間に配置されたクロッチ部位と、長手方向エッジと、エンドエッジと、外表面と、内表面と、を有する吸収性物品であって、
　Ｂ．１つのファスニングシステムと、１つのアジャストメントシステムと、１つの含有アセンブリと、を具備し、
　Ｃ．前記含有アセンブリは、液体浸透性トップシートと、このトップシートに結合された液体非浸透性バックシートと、前記トップシートと前記バックシートとの間に配置された吸収体コアと、クロッチ部位中の弾力性のあるガスケーテイングレッグカフと、を具備して成り、
　Ｄ．前記ファスニングシステムは、前記第１ウエスト部位および前記第２ウエスト部位をオーバーラップする配置構造に維持する１つのサイド・クロージャを与えるため、前記吸収性物品上に設けられ、
　Ｅ．前記ファスニングシステムは、前記第２ウエスト部位において前記長手方向エッジのそれぞれに隣接して設けられた１つのセキュアメント部材と、前記第１ウエスト部位に設けられたランディング部材と、を具備し、
　Ｆ．前記ランディング部材が、前記セキュアメント部材に係止可能にして成り、
　Ｇ．前記アジャストメントシステムは、前記吸収性物品のそれぞれの前記長手方向エッジに隣接し、前記吸収性物品の前記エンドエッジに対して平行ではない関係に設けられて成る１組のアジャストメントタブを含み、
　Ｈ．前記アジャストメントタブのそれぞれは、前記吸収性物品の前記第１ウエスト部位か前記クロッチ部位において前記吸収性物品の前記外表面に確実に取り付けられた１つの固定部と、前記固定部に接続されていて前記吸収性物品の前記外表面に取り外し可能に取り付けられた１つの中間部と、前記中間部に接続された１つの握持部と、を更に有し、
　Ｉ．前記アジャストメントシステムは、前記中間部が、前記第１ウエスト部位または前記クロッチ部位において前記吸収性物品の前記外表面に取り外し可能に取り付けられたときに、装着者の脚に対して改善されたフィット感を与えるように適用されて成る、
ことを特徴とするアジャストメントシステムを有する吸収性物品。」
　
（２）引用文献等
　原査定の拒絶の理由に引用された米国特許第４０９０５１６号明細書（１９７８年５月２３日特許、以下、「引用文献１」という。）には、以下の事項が図面とともに記載されている（上記米国特許明細書に対応する特開昭５３−８９５３４号公報の記載も参照）。
（イ）「本発明は、改良されたテープファスナーを有する使い捨ておむつに関する。」（第１欄第４２〜４４行の記載参照）
（ロ）「本発明のおむつは、相対する表面、一対のサイドエッジ及び該サイドエッジを結ぶ一対のエンドエッジを有する吸収パッドアセンブリからなり、テープファスナーを有する。」（第１欄第４５〜５４行の記載参照）
（ハ）「第１及び２図に、吸収パッドアセンブリ２２を有する使い捨ておむつ２０が示されている。パッドアセンブリ２２は、液体非浸透性のバッキングシート２４、液体浸透性のカバーすなわちトップシート２８及び前記バッキングシート２４とカバーシート２８との間に配置された吸収パッド３２とからなる。」（第２欄第５９〜６８行の記載参照）
（ニ）おむつは、感圧テープ片５２と剥離シート５４を有する一対のテープファスナ５０を備え、各テープファスナ５０はパッドアセンブリ２２のサイドエッジ３４に配されている。」（第３欄第１１〜１４行の記載参照）
（ホ）「テープ片５２の第１の端部６８は接着剤６６によりサイドエッジ部３４付近のパッドアセンブリ２２の裏面に固着され、該第１部分６８から離されたセキュアメント部分７０は剥離面５８に剥離可能に付着している」（第３欄第２３〜３２行の記載参照）
（ヘ）「テープ片５２のセキュアメント部分７０は端部が折り返されてテープ片を剥離シートから剥離するのを容易にするためのタブ８０を形成している」（第３欄第４４〜４７行の記載参照）
（ト）「使用時にはテープ片５２のセキュアメント部分を、剥離面５８から引き離すためにタブ８０が把持される」（第３欄第６２〜６６行の記載参照）
（チ）「第７乃至９図に示された実施例において、テープ片５２はパッドアセンブリ２２のエンドエッジ３６に沿っており、第９図に示すように、セキュアメント部分７０を剥ぎ取った後、パッドアセンブリ２２にひだ取りされたひだを、第１部分６８とセキュアメント部分７０との間に固定し、この部分においておむつを幼児の身体にぴったりとフィットさせる」（第４欄第５０〜６２行の記載参照）
（リ）「第１３及び１４図に示された実施例において、ファスナーはおむつの両側に設けられた一組のテープ片５２、５２’から成り、各テープ片５２、５２’の各々は第１乃至４図に示されたものと同じであるが、テープ片５２’は、比較的幅が狭く、使用時にセキュアメント部分７０、７０’を剥離シート５４から剥離し、幅の広い方のテープ片５２を用いておむつを幼児の身体に固定した後、第２のテープ片５２’をおむつの下方に間隔をおいた部分に貼り付けおむつのこの部分に張力を与え、おむつの下部を幼児の身体にぴったりとフィットさせる。」（第５欄第２３〜４１行の記載参照）
（ヌ）「第１５乃至１７図に示された実施例において、テープ片５２はパッドアセンブリの側縁３４付近に切欠き部１０４を有し、補助テープ片１０６が切欠き部１０４を貫通する。使用時、テープ片のセキュアメント部分７０が第１７図に示すようにおむつを幼児の身体に固定し、次いで補助テープ片のタブ１１６を用いて、セキュアメント部分１０８をテープ片５２から引き剥がし、この補助テープ片１０６のセキュアメント部分１０８をおむつの下方に間隔をおいた部分に貼り付けおむつのこの部分に張力を与え、おむつの下部を幼児の身体にぴったりとフィットさせる。」（第５欄第４２行〜第６欄第１５行の記載参照）
（ル）第９図には、第１の端部６８をおむつ２０の表面に取り付け、中間部にセキュアメント部分７０を、他端部にタブ８０を有するテープ片をおむつ２０のエンドエッジ３６に沿って設けてひだ９２を固定している態様が示されている。
（ヲ）第１４図には、おむつ２０の前後のウエスト部の一方のウエスト部のサイドエッジ３４近傍に第１端部６８を固着されたファスニングテープ５２をおむつのエンドエッジ３６に平行に配置し、そのセキュアメント部分７０を他方のウエスト部に、両ウエスト部がオーバーラップするように固定するとともに、固定部分６８’の反対側にタブを有する幅の狭いテープ片５２’のセキュアメント部分７０’を下方に固定するように、テープ片５２’がおむつのエンドエッジ３６に対して傾斜して配置される態様が示され、第１７図には、同様におむつ２０の前後のウエスト部の一方のウエスト部のサイドエッジ３４近傍に第１端部６８を固着された、切り欠き部を有するファスニングテープ５２をおむつのエンドエッジに平行に配置し、そのセキュアメント部分７０を他方のウエスト部に、両ウエスト部がオーバーラップするように固定するとともに、先端にタブ１１６を有する補助テープ片１０６のセキュアメント部分１０８を下方に固定するように補助テープ片１０６がおむつのエッジエンド３６に対して傾斜して配置される態様が示されている。
　以上の記載事項から見て、引用文献１には、
「おむつ２０を幼児の身体に固定する一対のテープ片５２とともに、その下方の部分に張力を与えおむつの下部を幼児の身体にぴったりとフィットさせる一対の幅狭のテープ片５２’あるいは補助テープ片１０６と、吸収パッドアセンブリ２２とを具備し、前記吸収パッドアセンブリは、液体浸透性トップシート２８と液体非浸透性バッキングシート２４と前記トップシート２８と前記バッキングシート２４との間に配置された吸収パッド３２とを具備して成り、
　前記テープ片５２は、おむつの前後のウエスト部分をオーバーラップするように配置構造を維持するようにおむつのサイドエッジ部に隣接して設けられたセキュアメント部分７０を有しており、その第１端部６８を一方のウエスト部に固着するとともにセキュアメント部分７０が他方のウエスト部に固定されるようにして成り、
　前記一対の幅狭の第２のテープ片５２’あるいは補助テープ片１０６は、使用時において、おむつのエンドエッジ３６に対して平行でない方向に配置され、おむつ２０のサイドエッジ３４近傍に固着される第１端部６８とそれに接続するセキュアメント部分７０’あるいは１０８と該セキュアメント部分に接続するタブ８０’あるいは１１６を有し、使用時に上記セキュアメント部分が貼り付けられたときにおむつの下部を幼児の身体にぴったりとフィットさせるように設けられている使い捨ておむつ」（以下「引用発明」という。）が記載されている。
　同じく引用された、実願昭６３−１１９５５８号（実開平２−３９７２１号）のマイクロフィルム（以下、「引用文献２」という。）には、透水性のトップシートと非透水性のバックシート間に所定の吸収帯を介在させてこれをヒートシールしてなる使い捨て紙おむつにおいて、装着用粘着テープで前面部と背面部を腰の左右で固定した場合に、両側の止め位置でのバランスが崩れたり、使用中に下方にずれたりするのを防止することを目的として、背面部両端に止め片を設け、使用者の腰回りにフィットする好適な位置に止め、そのうえに、持ち上げた前面部を大腿部の太さに応じた位置に調節して止めるようにした調節手段が記載され、該調節手段を適用する使い捨て紙おむつとして、左右大腿部の内側にゴム等の伸縮性部材を配し、装着時に使用者の身体により密着するように構成したものが図面とともに示されている。
　
（３）対比
　本願補正発明１と上記引用発明とを対比する。
　引用発明の「使い捨ておむつ２０」、「吸収パッドアセンブリ２２」及び「吸収パッド３２」は、それぞれ本願補正発明１の「吸収性物品」、「含有アセンブリ」及び「吸収体コア」に相当し、吸収性物品が「第１ウエスト部位と、この第１ウエスト部位に対し長手方向の反対の第２ウエスト部位と、前記第１ウエスト部位と前記第２ウエスト部位との間に配置されたクロッチ部位と、長手方向エッジと、エンドエッジと、外表面と、内表面と」備えること、及び、含有アセンブリが「液体浸透性トップシートと、このトップシートに結合された液体非浸透性バックシートと、前記トップシートと前記バックシートとの間に配置された吸収体コアと」を具備することは、本願出願前周知の平均的な使い捨て吸収性物品が有する普通の構成であり、引用発明における使い捨ておむつ及び吸収パッドアセンブリも本願補正発明１と同じ構成を具備していることは、上記記載事項（ロ）、（ハ）及び（ヲ）等に照らして明らかである。
　引用発明の「テープ片５２」はおむつの前後のウエスト部位をオーバーラップして側部を閉鎖しておむつ幼児の身体に固定するものであり、本願補正発明１の構成Ｂでいう「ファスニングシステム」を構成する「セキュアメント部材」に相当し、これと係止可能なランディング部材を付随的に備えることは技術常識に照らして明らかである。
　引用発明の「第２のテープ片５２’」あるいは「補助テープ片１０６」は、使用時におむつの下部を装着者である幼児にぴったりとフィットさせるためのものであり、本願補正発明１の構成Ｂでいう「アジャストメントシステム」を構成する「アジャストメントタブ」に相当し、その「第１端部６８」、「セキュアメント部分７０’あるいは１０８」及び「タブ８０’あるいは１１６」が、それぞれ、本願補正発明１の「固定部」、「中間部」及び「握持部」に相当し、その使用時において、おむつのエンドエッジに対して傾斜したすなわち平行でない関係に配置され、セキュアメント部分７０’あるいは１０８の貼り付けられるおむつの下方に間隔をおいた部分は第１端部が固定されたウエスト部に対して他方のウエスト部位あるいはクロッチ部位であり、おむつの下部を装着者である幼児の身体にぴったりとフィットさせるということは、当然装着者の脚に対して改善されたフィット感を与えるものということができる。
　してみれば、両者は、
「第１ウエスト部位と、この第１ウエスト部位に対し長手方向の反対の第２ウエスト部位と、前記第１ウエスト部位と前記第２ウエスト部位との間に配置されたクロッチ部位と、長手方向エッジと、エンドエッジと、外表面と、内表面と、を有する吸収性物品であって、
　１つのファスニングシステムと、１つのアジャストメントシステムと、１つの含有アセンブリと、を具備し、
　前記含有アセンブリは、液体浸透性トップシートと、このトップシートに結合された液体非浸透性バックシートと、前記トップシートと前記バックシートとの間に配置された吸収体コアと、を具備して成り、
　前記ファスニングシステムは、前記第１ウエスト部位および前記第２ウエスト部位をオーバーラップする配置構造に維持する１つのサイド・クロージャを与えるため、前記吸収性物品上に設けられ、
　前記ファスニングシステムは、前記第２ウエスト部位において前記長手方向エッジのそれぞれに隣接して設けられた１つのセキュアメント部材と、前記第１ウエスト部位に設けられたランディング部材と、を具備し、
　前記ランディング部材が、前記セキュアメント部材に係止可能にして成り、
　前記アジャストメントシステムは、前記吸収性物品のそれぞれの前記長手方向エッジに隣接し、前記吸収性物品の前記エンドエッジに対して平行ではない関係に設けられて成る１組のアジャストメントタブを含み、
　前記アジャストメントタブのそれぞれは、前記吸収性物品の前記第１ウエスト部位か前記クロッチ部位において前記吸収性物品の前記外表面に確実に取り付けられた１つの固定部と、前記固定部に接続されていて前記吸収性物品の前記外表面に取り付けられた１つの中間部と、前記中間部に接続された１つの握持部と、を更に有し、
　前記アジャストメントシステムは、前記中間部が、前記第１ウエスト部位または前記クロッチ部位において前記吸収性物品の前記外表面に取り付けられたときに、装着者の脚に対して改善されたフィット感を与えるように適用されて成る、
ことを特徴とするアジャストメントシステムを有する吸収性物品。」
である点で一致しており、下記の点で一応相違している。
［相違点１］本願補正発明１の「含有アセンブリ」が、「クロッチ部位中の弾力性のあるガスケーテイングレッグカフ」を具備するとされているのに対し、引用発明の吸収パッドアセンブリ２２がそのようなガスケーティングレッグカフを具備することについて言及されていない点
［相違点２］本願補正発明１において、アジャストメントタブの中間部は、吸収性物品の外表面に「取り外し可能に」取り付けられるのに対し、引用発明において、第２のテープ片５２’のセキュアメント部分７０、あるいは補助テープ片１０６のセキュアメント部分１０８のおむつに対する貼り付けが、取り外し可能であるか否か明示されていない点
　
（４）判断
　そこで、上記の相違点について検討する。
［相違点１］について
　一般に、使い捨ておむつ等の、液体浸透性トップシートと、このトップシートに結合された液体非浸透性バックシートと、前記トップシートと前記バックシートとの間に配置された吸収体コアとを具備する吸収パッドアセンブリにおいて、股下領域（本願補正発明１でいうクロッチ部位）において吸収性コアの外側部に形成される少なくともバックシートから成るカフを弾性部材により伸縮可能にしたがスケーティングレッグカフとすることは本願前周知慣用の技術的事項であり、上記引用文献２に図面とともに示された調節手段（本願補正発明１でいうアジャストメントシステム）を適用する紙おむつも、左右大腿部の内側にゴム等の伸縮性部材を配することで、当該部位にガスケーティングレッグカフが形成されたものであることからみても、引用発明の吸収パッドアセンブリをクロッチ部位に弾力性のあるガスケーティングレッグカフを具備したものとすることは当業者が適宜なし得る設計的事項である。
［相違点２］について
　一般に、調節部材の固定は、固定位置を所望のものとするために「取り外し可能」な取り付けとするのが普通であり、本願補正発明１においても、アジャストメントタブの中間部に関して、補正前の「確実に」の表現が明らかな誤記であるとの認識の上に補正を認められるものであること鑑みても、引用発明における第２のテープ片５２’のセキュアメント部分７０、あるいは補助テープ片１０６のセキュアメント部分１０８のおむつに対する貼り付けを、「取り外し可能」とすることも当業者が適宜なし得る設計的事項である。
　以上のとおりであるから、本願補正発明１は、周知技術を勘案して上記引用文献１及び２に記載された発明に基づいて、当業者が容易に発明をすることができたものと認められるので、特許法第２９条第２項の規定により特許出願の際独立して特許を受けることができないものである。
　　
３．むすび
　したがって、本件補正は、特許法第１７条の２第５項で準用する同法第１２６条第５項の規定に違反するものであり、特許法第１５９条第１項で準用する特許法第５３条第１項の規定により却下されるべきものである。
　
４．本願発明について
（１）本願発明
　平成１３年１０月２３日付けの手続補正は上記のとおり却下されたので、本願の請求項１乃至１１に係る発明は、平成１３年５月２１日付けで補正された明細書の特許請求の範囲の請求項１乃至１１に記載された事項により特定されるとおりのものと認められるところ、その請求項１の記載は、以下のとおりである。（以下、これにより特定される発明を「本願発明１」という。）。
「第１ウエスト部位と、この第１ウエスト部位に長手方向に対する第２ウエスト部位と、前記第１ウエスト部位と前記第２ウエスト部位との間に配置されたクロッチ部位と、長手方向エッジと、エンドエッジと、外表面と、内表面と、を有する吸収性物品は、
　１つのファスニング（締着）システムと、１つのアジャストメントシステムと、１つの含有アセンブリと、を具備し、
　前記含有アセンブリは、液体浸透性トップシートと、このトップシートに結合された液体非浸透性バックシートと、前記トップシートと前記バックシートとの間に配置された吸収体コアと、クロッチ部位に弾力性のあるガスケーテイングレッグカフと、を具備して成り、
　前記ファスニングシステムは、前記第１ウエスト部位および前記第２ウエスト部位をオーバーラップする配置構造に維持する１つのサイド・クロージャを与えるため、前記吸収性物品上に設けられ、
　前記ファスニングシステムは、前記第２ウエスト部位において前記長手方向エッジのそれぞれに隣接して設けられた１つのセキュアメント部材と、前記第１ウエスト部位に設けられたランディング部材と、を具備し、
　前記ランディング部材が、前記セキュアメント部材に噛み合わせ可能にして成り、
　前記アジャストメントシステムは、当該物品のそれぞれの前記長手方向エッジに隣接し、前記吸収性物品の前記エンドエッジまで、平行ではない関係に設けられて成る少なくとも１組のアジャストメントタブを含み、
　前記アジャストメントタブのそれぞれは、当該吸収性物品の前記表面部位に確実に取り付けられた１つの固定部と、当該物品の前記第１ウエスト部位か前記クロッチ部位の外表面に確実に取り付けられた１つの中間部と、前記中間部に接続された１つの握持部と、を更に有し、
　前記アジャストメントシステムは、前記中間部が、前記第１ウエスト部位または前記第２ウエスト部位において、当該物品の前記外表面に取り外し可能に取り付けるときにおいて、一装着者の脚に対して改善されたフィット感を与えるように適用されて成ることを特徴とするアジャストメントシステムを有する吸収性物品。」
　
（２）引用文献等
　原査定の拒絶の理由に引用された引用文献１、２及びその記載事項は、前記「２．（２）」に記載したとおりである。
　
（３）対比・判断
　本願発明１は、前記「２．（１）」で検討した本願補正発明１から、第２ウエスト部位が第１ウエスト部位に対し長手方向に反対の位置にあること、アジャストメントタブがエンドエッジに対して平行でない関係に設けられて成ること、及びアジャストメントタブの中間部が固定部に接続されていること等を特定する構成を省いたものであるとともに、明らかな誤記を含み、日本語の表現が異なる部分を含むものである。
　そして、上記日本語の表現の異なる部分は、発明の構成を本質的に変更するものではないので、誤記の部分を正しく解釈すれば、本願発明１の構成要件を全て含み、さらに他の構成要件を付加したものに相当する本願補正発明１が、前記「２．（４）」に記載したとおり、引用文献１、２に記載された発明、及び、周知技術に基づいて、当業者が容易に発明をすることができたものであるから、本願発明１も、同様の理由により、上記引用文献１及び２に記載された発明に基づいて、当業者が容易に発明をすることができたものである。
　
（４）むすび
　以上のとおりであるから、本願発明１は、特許法第２９条第２項の規定により特許を受けることができない。
　よって、結論のとおり審決する。